(57)【要約】【課題】蒸発器の着霜による冷却不良を抑止し、商品劣化を防止することができるショーケースの制御装置及びショーケースの制御方法を提供する。【解決手段】ショーケースの制御装置５は、ショーケース２内の蒸発器２ｂに対する除霜を行う除霜ヒータ２ｃを定期的に駆動する定期駆動部１１と、定期の間の日時を設定する設定部５ｃと、その設定部５ｃにより設定された定期の間の日時に除霜ヒータ２ｃを臨時に駆動する臨時駆動部１２とを備える。【選択図】図１
2013242079.tif 000002
【特許請求の範囲】
【請求項１】
ショーケース内の蒸発器に対する除霜を行う除霜部を定期的に駆動する定期駆動部と、
前記定期の間の日時を設定する設定部と、
前記設定部により設定された前記定期の間の日時に前記除霜部を臨時に駆動する臨時駆動部と、
を備えることを特徴とするショーケースの制御装置。
【請求項２】
前記臨時駆動部は、前記定期の除霜より高温又は長時間の除霜を行うように前記除霜部を駆動することを特徴とする請求項１記載のショーケースの制御装置。
【請求項３】
前記臨時駆動部は、前記ショーケースに対する過着霜の予兆の有無を判断し、
前記設定部は、前記臨時駆動部により前記過着霜の予兆が有ると判断された場合、前記定期の間の日時を設定することを特徴とする請求項１又は２記載のショーケースの制御装置。
【請求項４】
前記臨時駆動部は、特定の期間の夜間のみに前記除霜部を駆動することを特徴とする請求項１ないし３のいずれか一に記載のショーケースの制御装置。
【請求項５】
ショーケース内の蒸発器に対する除霜を行う除霜部を定期駆動部により定期的に駆動するステップと、
前記定期の間の日時を設定部により設定するステップと、
前記設定部により設定した前記定期の間の日時に前記除霜部を臨時駆動部により臨時に駆動するステップと、
を有することを特徴とするショーケースの制御方法。
【請求項６】
前記臨時に駆動するステップでは、前記定期の除霜より高温又は長時間の除霜を行うように前記除霜部を駆動することを特徴とする請求項５記載のショーケースの制御方法。
【請求項７】
前記ショーケースに対する過着霜の予兆の有無を前記臨時駆動部により判断するステップを有し、
前記設定するステップでは、前記判断するステップにより前記過着霜の予兆が有ると判断した場合、前記定期の間の日時を設定することを特徴とする請求項５又は６記載のショーケースの制御方法。
【請求項８】
前記臨時に駆動するステップでは、特定の期間の夜間のみに前記除霜部を駆動することを特徴とする請求項５ないし７のいずれか一に記載のショーケースの制御方法。
【発明の詳細な説明】
【技術分野】
【０００１】
本発明は、ショーケースの制御装置及びショーケースの制御方法に関する。
【背景技術】
【０００２】
スーパーマーケットやコンビニエンスストアなどの各種店舗においては、冷蔵食品や冷凍食品、生鮮食品などの商品陳列用のショーケースが設置されている。このショーケースは、蒸発器（冷却器とも呼ばれる）によって冷却された冷気により、庫内に陳列された商品を保冷する。
【０００３】
通常、蒸発器には霜が着くため、その蒸発器に着いた霜を取り除く除霜（デフロスト）が行われる。この除霜が行われない場合には、蒸発器の熱交換器としての機能が著しく低下し、要求される冷却性能を維持することが困難になってしまう。このため、蒸発器に対する除霜が定期的に、例えば、一日数回、同時刻に毎日行われている。
【０００４】
この除霜方式としては、信頼性があり、かつ設備コストも安いヒータ除霜方式が多く普及している。このヒータ除霜方式では、熱により霜を溶かす除霜ヒータを通電することで、蒸発器に対する除霜が開始される。このような除霜方式の一日当たりの除霜回数は、蒸発器の着霜量が最大となる夏季環境を基に設定されている。なお、庫内温度が基準温度より上昇した場合に臨時除霜を行う方法も提案されている（例えば、特許文献１参照）。
【先行技術文献】
【特許文献】
【０００５】
【特許文献１】特開平１１−６３７４４号公報
【発明の概要】
【発明が解決しようとする課題】
【０００６】
しかしながら、前述のように一日当たりの除霜回数が蒸発器の着霜量が最大となる夏季環境を基に設定されている場合には、夏季環境を想定した温度や湿度を超える条件が重なると、過着霜（過度の着霜）が発生することがある。この過着霜が発生すると、十分な除霜ができずに霜が冷却器に残り、冷却不良が起こる可能性が高くなる。この冷却不良の発生により庫内の商品温度が上昇すると、商品劣化（商品の品質劣化）が生じることになる。
【０００７】
また、前述の庫内温度が基準温度より上昇した場合に臨時除霜を行う方法では、夏季など臨時除霜回数が不十分となり、過着霜が発生しやすくなるため、冷却不良が起こる可能性が高くなってしまう。さらに、庫内温度がある程度上昇した後に臨時除霜を行うことになるため、庫内の商品温度が上昇してしまい、これは商品劣化を招くことになる。
【０００８】
本発明は上記を鑑みてなされたものであり、その目的は、蒸発器の着霜による冷却不良を抑止し、商品劣化を防止することができるショーケースの制御装置及びショーケースの制御方法を提供することである。
【課題を解決するための手段】
【０００９】
本発明に係るショーケースの制御装置は、ショーケース内の蒸発器に対する除霜を行う除霜部を定期的に駆動する定期駆動部と、定期の間の日時を設定する設定部と、設定部により設定された定期の間の日時に除霜部を臨時に駆動する臨時駆動部とを備える。
【００１０】
また、前述の本発明に係るショーケースの制御装置において、臨時駆動部は、定期の除霜より高温又は長時間の除霜を行うように除霜部を駆動することが望ましい。
【００１１】
また、前述の本発明に係るショーケースの制御装置において、臨時駆動部は、ショーケースに対する過着霜の予兆の有無を判断し、設定部は、臨時駆動部により過着霜の予兆が有ると判断された場合、定期の間の日時を設定することが望ましい。
【００１２】
また、前述の本発明に係るショーケースの制御装置において、臨時駆動部は、特定の期間の夜間のみに除霜部を駆動することが望ましい。
【００１３】
一方、本発明に係るショーケースの制御方法は、ショーケース内の蒸発器に対する除霜を行う除霜部を定期駆動部により定期的に駆動するステップと、定期の間の日時を設定部により設定するステップと、設定部により設定した定期の間の日時に除霜部を臨時駆動部により臨時に駆動するステップとを有する。
【００１４】
また、前述の本発明に係るショーケースの制御方法において、臨時に駆動するステップでは、定期の除霜より高温又は長時間の除霜を行うように除霜部を駆動することが望ましい。
【００１５】
また、前述の本発明に係るショーケースの制御方法において、ショーケースに対する過着霜の予兆の有無を臨時駆動部により判断するステップを有し、設定するステップでは、判断するステップにより過着霜の予兆が有ると判断した場合、定期の間の日時を設定することが望ましい。
【００１６】
また、前述の本発明に係るショーケースの制御方法において、臨時に駆動するステップでは、特定の期間の夜間のみに除霜部を駆動することが望ましい。
【発明の効果】
【００１７】
本発明に係るショーケースの制御装置又はショーケースの制御方法によれば、定期除霜における定期の間の日時が設定され、その設定された日時に除霜部が臨時で駆動される。これにより、夏季などに予め定期以外の日時を設定しておくと、定期除霜の他にその設定された日時に臨時除霜が行われることになるので、蒸発器の霜を確実に取り除くことが可能となる。その結果、蒸発器の着霜による冷却不良を抑止し、商品劣化を防止することができる。
【００１８】
また、定期の除霜より高温又は長時間の除霜を行うように除霜部を駆動するときには、臨時除霜は定期除霜より高温又は長時間の除霜となる。これにより、臨時除霜時に蒸発器の霜をより確実に取り除くことが可能となるので、蒸発器の着霜による冷却不良を抑止して商品劣化を確実に防止することができる。
【００１９】
また、ショーケースに対する過着霜の予兆の有無を判断し、過着霜の予兆が有ると判断した場合、定期の間の日時を設定するときには、過着霜が発生する前の予兆段階で臨時除霜が実行されることになる。これにより、過着霜の発生を未然に防止し、過着霜による冷却不良を抑止することが可能となる。さらに、予兆段階での除霜は過着霜発生後の除霜に比べ容易なものであるため、蒸発器の霜を確実に取り除くことが可能となる。これらのことから、蒸発器の着霜による冷却不良を抑止して商品劣化を確実に防止することができる。
【００２０】
また、特定の期間の夜間のみに除霜部を駆動するときには、特定の期間の夜間だけに臨時除霜が行われることになる。これにより、特定の期間以外の日中（例えば、営業時間帯）に臨時除霜が行われることはなく、日中の定期除霜による商品温度の上昇回数は通常と変わらないため、店員や店長などの顧客に不安感を与えることを抑えることができる。
【図面の簡単な説明】
【００２１】
【図１】本発明の実施の一形態に係る冷凍装置の概略構成を示す図である。
【図２】図１に示す冷凍装置が行う除霜処理の流れを示すフローチャートである。
【図３】図１に示す冷凍装置が行う過着霜の予兆判定処理の流れを示すフローチャートである。
【発明を実施するための形態】
【００２２】
本発明の実施の一形態について図面を参照して説明する。
【００２３】
図１に示すように、本発明の実施形態に係る冷却装置１は、商品が陳列される庫内を有するショーケース２と、そのショーケース２の庫内を冷却する冷凍機３と、その冷却に用いる冷媒が流れる冷媒配管４と、各部を制御する制御装置５とを備えている。
【００２４】
ショーケース２は、冷媒を減圧する膨張弁などの減圧器２ａ及び冷媒を蒸発させる蒸発器２ｂに加え、その蒸発器２ｂに対して熱による除霜を行う除霜部として機能する除霜ヒータ２ｃを備えている。このショーケース２には、庫内温度を測定する庫内温度検出部２ｄと、庫内に吹出される冷気の吹出温度（吹出し温度）を検出する吹出温度検出部２ｅとが設けられている。
【００２５】
除霜ヒータ２ｃは、ショーケース２内の蒸発器２ｂを加熱可能にショーケース２内に設けられている。この除霜ヒータ２ｃは制御装置５に電気的に接続されており、その駆動が制御装置５により制御される。
【００２６】
庫内温度検出部２ｄは、ショーケース２内の庫内温度を検出可能にショーケース２内に設けられている。この庫内温度検出部２ｄは制御装置５に電気的に接続されており、ショーケース２の庫内温度を検出して制御装置５に出力する。なお、庫内温度検出部２ｄとしては、各種の温度センサを用いることが可能である。
【００２７】
吹出温度検出部２ｅは、ショーケース２の庫内に吹出される冷気の吹出温度を検出可能にショーケース２内に設けられている。この吹出温度検出部２ｅは制御装置５に電気的に接続されており、ショーケース２の庫内に吹出される冷気の吹出温度を検出して制御装置５に出力する。なお、吹出温度検出部２ｅとしては、各種の温度センサを用いることが可能である。
【００２８】
このようなショーケース２は、例えば、冷蔵食品や冷凍食品などの商品（被冷却物）を冷却する使用温度帯の近いショーケース（低温ショーケース）である。ショーケース２は店舗内に設置されており、蒸発器２ｂにより冷却された冷気を用いて商品が陳列された庫内を冷やし、その庫内の商品を保冷する。ここで、冷気はショーケース２内の蒸発器２ｂ及びダクト（エアダクト）を通過し、ショーケース２の庫内上部の前端部に位置する吹出口からエアカーテンとして庫内の前面を覆うように吹出される。なお、ショーケース２としては、例えば、オープンショーケースやクローズドショーケースなどを用いることが可能である。
【００２９】
冷凍機３は、冷媒を圧縮する圧縮機３ａ、圧縮された冷媒を凝縮する凝縮器３ｂ及び冷媒を貯留する受液器３ｃなどを備えている。これらの圧縮機３ａ、凝縮器３ｂ及び受液器３ｃは、ショーケース２内の減圧器２ａ及び蒸発器２ｂに冷媒配管４を介して接続されている。
【００３０】
冷媒配管４は、圧縮機３ａ、凝縮器３ｂ、受液器３ｃ、減圧器２ａ及び蒸発器２ｂを接続して冷媒を循環させる冷媒循環流路であり、例えば、銅管などの配管により構成されている。この冷媒配管４を流れる冷媒は、圧縮、凝縮、膨張及び蒸発の四工程（冷凍サイクル）を繰り返しながら冷媒配管４を循環する。
【００３１】
詳述すると、圧縮機３ａにより圧縮された高温高圧のガス冷媒は凝縮器３ｂに流入し、その凝縮器３ｂにより冷却される。このとき、ガス冷媒は凝縮熱を放出して液化され、受液器３ｃに貯留される。その後、受液器３ｃに貯留された高圧の液冷媒は減圧器２ａに流入し、その減圧器２ａにより減圧されて沸点が下げられた状態となる。この状態の低温低圧の液冷媒は蒸発器２ｂにより沸騰蒸発し、周囲の熱を奪って冷却を行う（蒸発器２ｂによる空気の冷却）。蒸発した低圧ガス冷媒は圧縮機３ａに流入し、その圧縮機３ａにより圧縮されて高温高圧のガス冷媒となり、再び凝縮器３ｂに流入する。
【００３２】
ここで、冷媒配管４の途中には、開閉弁２ｆが減圧器２ａの入口側（冷媒が流れる方向において減圧器２ａより上流側）に位置付けられて設けられている。この開閉弁２ｆはショーケース２内に設置されており、そのショーケース２内の減圧器２ａに対する冷媒の流入を制御する。開閉弁２ｆは制御装置５に電気的に接続されており、その駆動が制御装置５により制御される。この開閉弁２ｆが制御装置５により開状態にされると、冷媒が冷媒配管４を循環することになる。
【００３３】
なお、ショーケース２が設置される店舗内には、その店舗内の店内温度を測定する店内温度検出部２ｇが設けられている。店内温度検出部２ｇは、店舗内の店内温度を検出可能に店舗内、例えばショーケース２の周辺などに設置されている。この店内温度検出部２ｇは制御装置５に電気的に接続されており、店内温度を検出して制御装置５に出力する。なお、店内温度検出部２ｇとしては、各種の温度センサを用いることが可能である。
【００３４】
制御装置５は、各種情報や各種プログラムなどを記憶する記憶部５ａと、操作者からの入力操作を受け付ける入力部５ｂと、各種の数値を設定する設定部５ｃと、各種条件に応じて除霜ヒータ２ｃの駆動を制御する除霜制御部５ｄとを備えている。この制御装置５は、冷凍機３に加え、除霜ヒータ２ｃや開閉弁２ｆの駆動も制御するものであり、ショーケース２の制御装置として機能する。
【００３５】
記憶部５ａは、庫内温度検出部２ｄにより検出された庫内温度及び吹出温度検出部２ｅにより検出された吹出温度を所定間隔（例えば、１０分間隔）で記憶する。この記憶間隔は変更可能であり、時間が横軸となる庫内温度及び吹出温度の温度データ（生データ）が生成されることになる。なお、記憶部５ａとしては、メモリやハードディスクドライブ（ＨＤＤ）などを用いることが可能である。
【００３６】
入力部５ｂは、操作者により入力操作される操作部として機能する。例えば、操作者は各種の数値（各種の条件）を設定するために入力部５ｂを入力操作する。この入力部５ｂとしては、例えば、スイッチやボタン、キーなどの入力デバイスを用いることが可能である。
【００３７】
設定部５ｃは、入力部５ｂに対する操作者の入力操作に応じて各種情報、例えば、除霜時間や除霜復帰温度（除霜ヒータ２ｃの到達温度の設定値）、定期除霜日時（スケジュール）、臨時除霜日時などを設定する。これらの情報は、除霜制御部５ｄが有するメモリに記憶される。
【００３８】
ここで、除霜時間として定期除霜時間と臨時除霜時間があり、除霜復帰温度として定期除霜復帰温度と臨時除霜復帰温度がある。臨時除霜時間は定期除霜時間より長く設定され（臨時除霜時間＞定期除霜時間）、臨時除霜復帰温度は定期除霜復帰温度より高く設定される（臨時除霜復帰温度＞定期除霜復帰温度）。これにより、臨時除霜は定期除霜より長時間及び高温の除霜となる。
【００３９】
定期除霜日時は、例えば、毎日、一日数回、同時刻に実行される。一例として、一日４回、６時間毎に実行される。また、臨時除霜日時は、例えば、週に１回、ランダムな任意の時間に設定される。一例として、特定の期間の夜間（例えば、夏季の営業時間外の夜間）に臨時除霜日時が設定される。
【００４０】
除霜制御部５ｄは、定期的に除霜を行う定期駆動部１１と、臨時で除霜を行う臨時駆動部１２とを具備している。この除霜制御部５ｄは、カレンダーやタイマにより現在の日時や経過時間などを把握することが可能である。
【００４１】
定期駆動部１１は、除霜ヒータ２ｃに対する通電を制御して除霜ヒータ２ｃを前述の定期除霜日時に駆動する。同様に、臨時駆動部１２も、除霜ヒータ２ｃに対する通電を制御して除霜ヒータ２ｃを前述の臨時除霜日時に駆動する。この臨時駆動部１２は、過着霜の予兆の有無を判定する予兆判定部１２ａを有している。
【００４２】
予兆判定部１２ａは、庫内温度検出部２ｄにより検出された庫内温度の変化及び吹出温度検出部２ｅにより検出された吹出温度の変化から、ショーケース２、すなわちショーケース２内の蒸発器２ｂやダクトなどに過着霜が発生する傾向があるか否か（過着霜の予兆の有無）を判定する（詳しくは、後述する）。
【００４３】
ここで、前述の設定部５ｃや除霜制御部５ｄ（定期駆動部１１、臨時駆動部１２及び予兆判定部１２ａ）などは、電気回路などのハードウエアで構成されても良く、あるいは、これらの機能を実行するプログラムなどのソフトウエアで構成されても良い。また、ハードウエア及びソフトウエアの両方の組合せにより構成されても良い。
【００４４】
このような制御装置５は、ショーケース２の庫内の温調運転を所定の庫内温度設定値に基づいて行う。すなわち、制御装置５は、ショーケース２内の庫内温度検出部２ｄにより測定されたショーケース２内の庫内温度に応じて、その庫内温度が所定の庫内温度設定値になるようにショーケース２内の開閉弁２ｆを制御する。なお、庫内温度設定値は予め設定されている。
【００４５】
また、制御装置５はショーケース２の除霜運転をスケジュールに基づいて行う（定期除霜）。例えば、除霜運転（霜取り運転）は前述のように毎日、一日数回、同時刻に実行される。なお、除霜運転は、ショーケース２の蒸発器２ｂに付着した霜を除霜ヒータ２ｃにより溶かして取り除く除霜（デフロスト）を行う運転である。このとき、ショーケース２内の開閉弁２ｆは閉じられ、蒸発器２ｂに対する冷媒の供給は停止される。この除霜にかかる定期除霜時間は、例えば、数十分から数時間までの範囲内で前述の設定部５ｃにより設定されているが、その変更も可能である。
【００４６】
このように、蒸発器２ｂに対する除霜が定期的に行われているが、この定期的な除霜で取り除かれなかった着霜が数カ月という長期間を経て成長し（過度の着霜、すなわち過着霜）、蒸発器２ｂやダクトを閉蓋してしまうことがある。これは庫内温度の上昇を招き、いわゆる「過着霜による冷却不良」がかなりの確率（特に、店内環境の悪い店舗や営業時間の長い店舗など）で起こり得る。そこで、この過着霜の発生を臨時除霜により抑止する必要がある。
【００４７】
次に、前述の冷却装置１が行う除霜処理について説明する。
【００４８】
図２に示すように、まず、冷却運転が開始され（ステップＳ１）、現在時刻が定期除霜時刻であるか否かが定期駆動部１１により判断される（ステップＳ２）。冷却運転では、ショーケース２の庫内の温調運転が前述のように所定の庫内温度設定値に基づいて行われる。また、定期除霜日時も前述のように予め設定されている。この定期除霜日時は、一例として、毎日、６：００、１２：００、１８：００、２４：００（０：００）に設定されている。
【００４９】
ステップＳ２において、現在時刻が定期除霜時刻であると判断されると（ステップＳ２のＹＥＳ）、定期除霜が開始され（ステップＳ３）、その後、処理はステップＳ２から繰り返される。この定期除霜では、除霜ヒータ２ｃに対する通電が定期駆動部１１により制御され、除霜ヒータ２ｃが駆動する。なお、定期除霜時間としては、例えば３０分が設定されており、また、定期除霜復帰温度としては、例えば１２℃が設定されている。
【００５０】
一方、ステップＳ２において、現在時刻が定期除霜時刻でないと判断されると（ステップＳ２のＮＯ）、店内温度が２５℃（所定の店内温度設定値）を超えているか否かが臨時駆動部１２により判断される（ステップＳ４）。店内温度は店内温度検出部２ｇにより検出され、臨時駆動部１２に入力される。なお、店内温度設定値は変更可能である。
【００５１】
ステップＳ４において、店内温度が２５℃を超えていると判断されると（ステップＳ４のＹＥＳ）、過着霜の予兆の有無が臨時駆動部１２の予兆判定部１２ａにより判断される（ステップＳ５：詳しくは、後述する）。一方、店内温度が２５℃を超えていないと判断されると（ステップＳ４のＮＯ）、処理はステップＳ２から繰り返される。
【００５２】
ステップＳ５において、過着霜の予兆が有ると判断されると（ステップＳ５のＹＥＳ）、臨時除霜日時が設定部５ｃにより設定され（ステップＳ６）、その後、現在時刻が臨時除霜日時であるか否かが臨時駆動部１２により判断される（ステップＳ７）。一方、過着霜の予兆が無いと判断されると（ステップＳ５のＮＯ）、処理はステップＳ２から繰り返される。なお、臨時除霜日時は入力部５ｂに対する操作者の入力操作によって仮設定されており、その後、過着霜の予兆が有ると判断された場合に本設定されることになる。この臨時除霜日時は、例えば、週に１回、任意の時間に設定される。一例として、特定の期間の夜間（例えば、６〜８月の営業時間外の夜間）に臨時除霜日時が設定される。
【００５３】
ステップＳ７において、現在時刻が臨時除霜日時であると判断されると（ステップＳ７のＹＥＳ）、臨時除霜が開始され（ステップＳ８）、その後、処理はステップＳ２から繰り返される。この臨時除霜では、除霜ヒータ２ｃに対する通電が臨時駆動部１２により制御され、除霜ヒータ２ｃが駆動する。なお、臨時除霜時間としては、例えば４５分が設定されており、また、臨時除霜復帰温度としては、例えば１６℃が設定されている。これにより、「臨時除霜時間＞定期除霜時間」及び「臨時除霜復帰温度＞定期除霜復帰温度」という関係式が成立するので、臨時除霜は定期除霜より長時間及び高温の除霜となる。
【００５４】
このような除霜処理によれば、定期除霜における定期の間の日時が設定部５ｃにより設定され、その後、設定された日時に除霜ヒータ２ｃが臨時駆動部１２により臨時に駆動される。これにより、夏季などに予め定期以外の日時を設定しておくと、定期除霜の他にその設定された日時に臨時除霜が行われることになるので、蒸発器２ｂの霜を確実に取り除くことができる。
【００５５】
また、過着霜が発生した場合の改修作業（メンテナンス作業）は霜や氷結の程度によっては作業が長時間となるため、その作業を夜間（例えば、営業時間外）に行わなければならないが、過着霜を確実に抑止することが可能となるため、困難なメンテナンス作業を無くすことができる。また、十分な除霜により過着霜などの氷結による冷却不良が無くなるため、商品損害も無くなる。加えて、過着霜が原因であるエアカーテンの乱れによる商品着霜も防止することができる。
【００５６】
次に、前述のステップＳ５における過着霜の予兆判定処理について詳しく説明する。
【００５７】
図３に示すように、まず、庫内温度が庫内の商品品質に影響がない範囲（許容範囲）内で上昇しているか否かが判断される（ステップＳ１１）。なお、庫内温度は庫内温度検出部２ｄにより検出され、所定間隔（例えば、１０分間隔）で記憶部５ａに温度データとして記憶される。また同じように、吹出温度も吹出温度検出部２ｅにより検出され、所定間隔（例えば、１０分間隔）で記憶部５ａに温度データとして記憶される。これにより、記憶部５ａには、庫内温度及び吹出温度の温度データが数カ月にわたって記憶される。
【００５８】
ここで、庫内の商品品質に影響がない範囲（上昇量）は商品によって変わるものであるが、一例として、１〜２℃の数℃以内である。この範囲は予め設定されているが、その変更も可能である。このような範囲内で庫内温度の上昇傾向を判断することによって、庫内温度が庫内の商品品質に影響が出る温度まで上昇する前の兆候を捉えることができる。
【００５９】
このステップＳ１１では、予兆判定部１２ａは、記憶部５ａに記憶された庫内温度の温度データから、第１期間、例えば直近の一週間（現在から一週間前までの期間）の温度データを取得し、その期間の庫内温度を積算して平均値ｄｎを求める。さらに、予兆判定部１２ａは、前述の庫内温度の温度データから、第１期間よりも前の第２期間、例えば、前述の直近の一週間よりも過去の一週間（一週間前から二週間前までの期間）の温度データを取得し、その期間の庫内温度を積算して平均値ｄ（ｎ−１）を求める。
【００６０】
その後、予兆判定部１２ａは、第１期間の庫内温度の平均値ｄｎと、第２期間の庫内温度の平均値ｄ（ｎ−１）とを比較し、第１期間の庫内温度の平均値ｄｎが第２期間の庫内温度の平均値ｄ（ｎ−１）より高いか否か（ｄｎ＞ｄ（ｎ−１））を判断する。なお、ｎは正数であり、ｄ０は所定の初期値である。この初期値は予め設定されているが、その変更も可能である。
【００６１】
ここで、例えば、所定の庫内温度設定値が−２０℃であり、第１期間の庫内温度の平均値ｄｎが−１８．１７９℃であり（ｄｎ＝−１８．１７９℃）、第２期間の庫内温度の平均値ｄ（ｎ−１）が−１９．３０５℃である場合には、第１期間の庫内温度の平均値ｄｎが第２期間の庫内温度の平均値ｄ（ｎ−１）より高いと判断され（−１８．１７９＞−１９．３０５）、庫内温度が庫内の商品品質に影響がない範囲内で上昇していると判定される。
【００６２】
ステップＳ１１において、庫内温度が庫内の商品品質に影響がない範囲内で上昇していると判定されると（ステップＳ１１のＹＥＳ）、冷却中の吹出温度が下がり傾向であるか否かが判断される（ステップＳ１２）。一方、第１期間の庫内温度の平均値ｄｎが第２期間の庫内温度の平均値ｄ（ｎ−１）より高くない、すなわちその平均値ｄ（ｎ−１）以下であると判断され、庫内温度が上昇していないと判定されると（ステップＳ１１のＮＯ）、過着霜の予兆が無いと判定される（ステップＳ１５）。
【００６３】
ステップＳ１２では、予兆判定部１２ａは、記憶部５ａに記憶された吹出温度の温度データから、第１期間、例えば直近の一週間（現在から一週間前までの期間）の冷却中の温度データ（第１期間内の全冷却期間の温度データ）を取得し、その期間の冷却中の吹出温度を積算して平均値を求める。さらに、予兆判定部１２ａは、前述の吹出温度の温度データから、第１期間よりも前の第２期間、例えば、前述の直近の一週間よりも過去の一週間（一週間前から二週間前までの期間）の冷却中の温度データ（第２期間内の全冷却期間の温度データ）を取得し、その期間の冷却中の吹出温度を積算して平均値を求める。その後、予兆判定部１２ａは、第１期間の冷却中の吹出温度の平均値と、第２期間の冷却中の吹出温度の平均値とを比較する。
【００６４】
ここで、例えば、第１期間の冷却中の吹出温度の平均値が−２４．９℃であり、第２期間の冷却中の吹出温度の平均値が−２２．７℃である場合には、第１期間の冷却中の吹出温度の平均値が第２期間の冷却中の吹出温度の平均値より低いと判断され（−２４．９＜−２２．７）、冷却中の吹出温度が下がり傾向であると判定される。
【００６５】
ステップＳ１２において、冷却中の吹出温度が下がり傾向であると判定されると（ステップＳ１２のＹＥＳ）、除霜中の吹出温度が上昇していないか否かが判断される（ステップＳ１３）。一方、第１期間の冷却中の吹出温度の平均値が第２期間の冷却中の吹出温度の平均値より低くない、すなわちその平均値以上であると判断され、冷却中の吹出温度が下がり傾向でないと判定されると（ステップＳ１２のＮＯ）、過着霜の予兆が無いと判定される（ステップＳ１５）。
【００６６】
ステップＳ１３では、予兆判定部１２ａは、記憶部５ａに記憶された吹出温度の温度データから、第１期間、例えば直近の一週間（現在から一週間前までの期間）の除霜中の温度データ（第１期間内の全除霜期間の温度データ）を取得し、その期間の除霜中の吹出温度の最高値を求める。さらに、予兆判定部１２ａは、前述の吹出温度の温度データから、第１期間よりも前の第２期間、例えば、前述の直近の一週間よりも過去の一週間（一週間前から二週間前までの期間）の除霜中の温度データ（第２期間内の全除霜期間の温度データ）を取得し、その期間の除霜中の吹出温度の最高値を求める。その後、予兆判定部１２ａは、第１期間の除霜中の吹出温度の最高値と、第２期間の除霜中の吹出温度の最高値とを比較する。
【００６７】
ここで、例えば、第１期間の除霜中の吹出温度の最高値が０．５℃であり、第２期間の除霜中の吹出温度の最高値が５．５℃である場合には、第１期間の除霜中の吹出温度の最高値が第２期間の除霜中の吹出温度の最高値より低いと判断され（０．５＜５．５）、除霜中の吹出温度が上昇していないと判定される。
【００６８】
ステップＳ１３において、除霜中の吹出温度が上昇していないと判定されると（ステップＳ１３のＹＥＳ）、過着霜の予兆が有ると判定される（ステップＳ１４）。一方、第１期間の除霜中の吹出温度の最高値が第２期間の除霜中の吹出温度の最高値より低くない、すなわちその最高値以上であると判断され、除霜中の吹出温度が上昇していると判定されると（ステップＳ１３のＮＯ）、過着霜の予兆が無いと判定される（ステップＳ１５）。
【００６９】
このような過着霜の予兆判定処理によれば、庫内温度が庫内の商品品質に影響がない範囲内で上昇し（ステップＳ１１のＹＥＳ）、冷却中の吹出温度が下がり傾向であり（ステップＳ１２のＹＥＳ）、除霜中の吹出温度が上昇していない（ステップＳ１３のＹＥＳ）場合に、過着霜の予兆が有る、すなわちショーケース２に過着霜が発生する傾向があることが判定される。これにより、過着霜が発生する前の予兆段階で、臨時除霜を実行することが可能となるので、過着霜の発生を未然に防止し、過着霜による冷却不良を抑止することができる。さらに、予兆段階での除霜は過着霜発生前の除霜となり、過着霜発生後の除霜に比べ容易なものとなるため、確実に着霜を取り除くことができる。
【００７０】
加えて、庫内温度の変化に加えて吹出温度の変化から、過着霜が発生する傾向があるか否かが判定される。これにより、商品の陳列状況による影響を受けない吹出温度が用いられるので、過着霜の予兆の有無判定を精度良く行うことが可能となる。このため、判定信頼性を向上させることができる。特に、庫内温度は商品の陳列状況（例えば、商品の並べ方や商品数など）によって変化するため、庫内温度だけを過着霜判定に用いるのでは不十分であり、庫内温度に加え、商品の陳列状況によって変化することがない吹出温度も用いることが正確な過着霜判定のためには重要である。
【００７１】
また、庫内温度の第１期間の平均値とその第１期間より前の第２期間の平均値との比較により、庫内温度が許容範囲で上昇しているか否かの判断を行うことから、庫内温度の上昇傾向を正確に把握することが可能となり、過着霜の発生傾向の判定をより高い精度で行うことができる。さらに、冷却中の吹出温度の第１期間の平均値とその第１期間より前の第２期間の平均値との比較により、冷却中の吹出温度が下がり傾向であるか否かの判断を行うことから、冷却中の吹出温度の下がり傾向を正確に把握することが可能となり、過着霜の発生傾向の判定をより高い精度で行うことができる。加えて、除霜中の吹出温度の第１期間の最高値とその第１期間より前の第２期間の最高値とを比較し、除霜中の吹出温度が上昇していないか否かの判断を行うことから、除霜中の吹出温度の非上昇傾向を正確に把握することが可能となり、過着霜の発生傾向の判定をより高い精度で行うことができる。
【００７２】
なお、前述のように、「１．冷却中の庫内温度が上昇傾向である」、「２．吹出温度が下降傾向である」さらに「３．除霜中の吹出温度の最高値（ピーク値）が非上昇傾向（例えば下降傾向）である」という三つの条件を組み合わせて、複合条件が成立した場合に、過着霜の予兆が有るという判定を行うことが可能であるが、これに限るものではなく、例えば、これらのうちの二つの条件を組み合わせても良い。
【００７３】
また、他にも、「４．第１期間の吹出温度の平均値ｄｎ≦第２期間の吹出温度の平均値ｄ（ｎ−１）−Ｔ１℃」、あるいは、「５．除霜中の吹出温度の上昇量＜Ｔ２℃」という条件が成り立つ場合に、過着霜の予兆が有るという判定を行うことも可能である。ここで、例えば、Ｔ１＝２℃であれば、ｄｎ≦ｄ（ｎ−１）−２となり、ｄｎがｄ（ｎ−１）よりも２℃以上低い場合、過着霜の予兆が有るという判定を行う。また、例えば、Ｔ２＝５℃であれば、除霜中の吹出温度の上昇量が５℃より小さく（５℃以上上昇しない）場合、過着霜の予兆が有るという判定を行う。なお、前述の１〜５の条件を自由に組み合わせることも可能である。
【００７４】
以上説明したように、本発明の実施形態によれば、定期除霜における定期の間の日時を設定し、その設定した日時に除霜ヒータ２ｃを臨時に駆動する。これにより、夏季などに予め定期以外の日時を設定しておくと、定期除霜の他にその設定された日時に臨時除霜が行われることになるので、蒸発器２ｂの霜を確実に取り除くことが可能となる。その結果、蒸発器２ｂの着霜による冷却不良を抑止し、商品劣化を防止することができる。
【００７５】
また、定期の除霜より高温又は長時間の除霜を行うように除霜ヒータ２ｃを駆動することによって、臨時除霜は定期除霜より高温又は長時間の除霜となる。これにより、臨時除霜時に蒸発器２ｂの霜をより確実に取り除くことが可能となるので、蒸発器２ｂの着霜による冷却不良を抑止して商品劣化を確実に防止することができる。
【００７６】
また、ショーケース２に対する過着霜の予兆の有無を判断し、過着霜の予兆が有ると判断した場合、定期の間の日時を設定するときには、過着霜が発生する前の予兆段階で臨時除霜が実行されることになる。これにより、過着霜の発生を未然に防止し、過着霜による冷却不良を抑止することが可能となる。さらに、予兆段階での除霜は過着霜発生後の除霜に比べ容易なものであるため、蒸発器２ｂの霜を確実に取り除くことが可能となる。これらのことから、蒸発器２ｂの着霜による冷却不良を抑止して商品劣化を確実に防止することができる。
【００７７】
また、特定の期間の夜間のみに除霜ヒータ２ｃを駆動することによって、特定の期間の夜間だけに臨時除霜が行われることになる。これにより、特定の期間（例えば、夏季）以外の日中（例えば、営業時間帯）に臨時除霜が行われることはなく、日中の定期除霜による商品温度の上昇回数は通常と変わらないため、店員や店長などの顧客に不安感を与えることを抑えることができる。
【００７８】
なお、本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に亘る構成要素を適宜組み合わせてもよい。
【００７９】
前述の実施形態においては、除霜部として除霜ヒータ２ｃを用いているが、これに限るものではなく、例えば、ホットガスを用いるような他方式の除霜部を用いるようにしても良い。
【００８０】
また、前述の実施形態においては、ステップＳ１１〜Ｓ１３（図３参照）までの全ての条件が揃った場合に、過着霜が発生する傾向が有るという判定を行っているが、これに限るものではなく、例えば、ステップＳ１１及びステップＳ１２の条件が揃った場合、あるいは、ステップＳ１１及びステップＳ１３の条件が揃った場合に、過着霜の予兆が有るという判定を行うようにしても良い。
【００８１】
また、前述の実施形態においては、ステップＳ１１において第１期間あるいは第２期間の全期間（除霜期間、プルダウン期間及び冷却期間）の庫内温度を用いて判定を行っているが、これに限るものではなく、例えば、第１期間あるいは第２期間の全期間のうち冷却期間の庫内温度（冷却中の庫内温度）だけを用いて判定を行うようにしても良い。
【符号の説明】
【００８２】
１      冷凍装置
２      ショーケース
２ａ    減圧器
２ｂ    蒸発器
２ｃ    除霜ヒータ
２ｄ    庫内温度検出部
２ｅ    吹出温度検出部
２ｆ    開閉弁
２ｇ    店内温度検出部
３      冷凍機
３ａ    圧縮機
３ｂ    凝縮器
３ｃ    受液器
４      冷媒配管
５      制御装置
５ａ    記憶部
５ｂ    入力部
５ｃ    設定部
５ｄ    除霜制御部
１１    定期駆動部
１２    臨時駆動部
１２ａ  予兆判定部
【図１】
2013242079.tif 000003
【図２】
2013242079.tif 000004
【図３】
2013242079.tif 000005